(57)【要約】ＣＤＭＡ無線受信器における干渉電力を決定するための方法において、一旦受信された信号が逆拡散すると、受信信号の、受信器にアプリオリに知られているシンボル（パイロット）との、および受信器にアプリオリに知られていない、受信および判定されたデータシンボル（Ｄａｔａ２）との比較から逆拡散した信号の干渉電力が決定される。上記ＣＤＭＡ無線受信器は、受信機の１つの出力と接続される、データシンボルディシジョンメーカと、前記受信かつ逆拡散された信号の干渉電力を決定するための手段であって、チャネル推定器によって決定されるチャネルパラメータ、およびデータシンボルディシジョンメーカによって判定されるデータシンボルが供給される、手段と、干渉電力を決定するための手段とを備える。【選択図】図１
2004524740.tif 000002
【特許請求の範囲】
【請求項１】
ＣＤＭＡ無線受信器における干渉電力を決定するための方法であって、
受信シンボル（ｘｋ，ｊ；ｒｋ）の、該受信器にアプリオリに知られているシンボル（ｐＰｉｌｏｔ，ｋ）との、および該受信器にアプリオリに知られていない、受信かつ判定されたデータシンボル（ｐＤａｔａ２，ｋ）との比較から逆拡散信号の該干渉電力（ＰＩＳＣＰ）を決定する工程は、受信信号の逆拡散の後で実行される、方法。
【請求項２】
前記干渉電力は、前記受信器（ＲＡＫＥ、ＭＲＣ）、特に、ＲＡＫＥ受信器の下流の信号経路にて決定されることを特徴とする、請求項１に記載の方法。
【請求項３】
前記受信器は、２つ以上のＲＡＫＥフィンガー（Ｒ１、．．、ＲＮＦｉｎｇｅｒ）、および該ＲＡＫＥフィンガーの下流の結合器（ＭＲＣ）を有するＲＡＫＥ受信器（ＲＡＫＥ、ＭＲＣ）であることと、
前記干渉電力は、該結合器（ＭＲＣ）の前の各ＲＡＫＥフィンガー（Ｒ１、．．、ＲＮＦｉｎｇｅｒ）の該個々の経路の干渉電力（ＰＩＳＣＰ，ｊ）を測定することによって、および該  測定された経路干渉電力から該干渉電力（ＰＩＳＣＰ）を計算することによって決定されることと
を特徴とする、請求項１に記載の方法。
【請求項４】
アプリオリに知られている前記受信シンボルの前記電力、およびアプリオリに知られていない前記受信データシンボルの前記電力が決定されることと、
前記干渉電力は、該２つの決定された電力を考慮に入れて計算されることと
を特徴とする、請求項１〜３のいずれか１つに記載の方法。
【請求項５】
アプリオリに知られている前記シンボルはパイロットシンボルであり、アプリオリに知られていない前記シンボルは個々の物理チャネル、特に、ＵＭＴＳ標準規格による専用ＤＰＣＨチャネルのペイロードデータシンボルであることを特徴とする、請求項１〜４のいずれか１つに記載の方法。
【請求項６】
前記個々の物理チャネルについてアプリオリに知られている前記シンボルおよびアプリオリに知られていない前記シンボルに加えて、１つ以上のさらなる物理チャネル、特に、共通パイロットチャネルに関してアプリオリに知られているシンボルおよび／またはアプリオリに知られていないシンボルが、前記干渉電力を決定するために用いられることを特徴とする、請求項５に記載の方法。
【請求項７】
前記決定された干渉電力は、前記ダウンリンクパス上の信号対雑音比のチャネル専用制御のために用いられることを特徴とする、請求項１〜６のいずれか１つに記載の方法。
【請求項８】
伝送チャネルを介して伝送される拡散コード化されたシンボルの信号を受信するＣＤＭＡ無線受信器であって、
該受信信号を逆拡散させるユニット（Ｃ）と、
該伝送チャネルのチャネルパラメータを決定するチャネル推定器（ＫＥ）と、
受信器（ＲＡＫＥ、ＭＲＣ）と、
該受信機（ＲＡＫＥ、ＭＲＣ）の１つの出力と接続される、データシンボルディシジョンメーカ（ＤＥＣ）と、
前記受信かつ逆拡散された信号の干渉電力を決定するための手段（ＳＩＮＲ−ＥＳＴ）であって、該チャネル推定器（ＫＥ）によって決定されるチャネルパラメータ、および該データシンボルディシジョンメーカ（ＤＥＣ）によって判定されるデータシンボルが供給される、手段と、
該干渉電力を決定するための該手段（ＳＩＮＲ−ＥＳＴ）であって、受信データシンボルの、該受信器においてアプリオリに知られているデータシンボルとの、および該受信器においてアプリオリに知られていない、かつ該データシンボルデシジョンメーカ（ＤＥＣ）によって判定されたデータシンボルとの比較から該逆拡散信号の該干渉電力を決定するように設計される、手段と
を備える、ＣＤＭＡ無線受信器。
【請求項９】
前記受信器（ＲＡＫＥ、ＭＲＣ）によって前記干渉電力を決定するための手段（ＳＩＮＲ−ＥＳＴ）は、検出されたシンボルを受信することを特徴とする、請求項８に記載のＣＤＭＡ無線受信器。
【請求項１０】
前記受信器は、２つ以上のＲＡＫＥフィンガー（Ｒ１、．．、ＲＮＦｉｎｇｅｒ）および結合器（ＭＲＣ）を有するＲＡＫＥ受信器（ＲＡＫＥ、ＭＲＣ）であって、該ＲＡＫＥフィンガーの出力は、該結合器の入力と接続されることと、
前記干渉電力を決定するための前記手段（ＳＩＮＲ−ＥＳＴ）は、該ＲＡＫＥフィンガーの該出力にて生成される受信シンボルを受信することと
を特徴とする、請求項８に記載のＣＤＭＡ無線受信器。
【発明の詳細な説明】
【技術分野】
【０００１】
本発明は、ＣＤＭＡ無線受信器における干渉電力を決定するための方法に関し、および干渉電力を決定するための手段を有するＣＤＭＡ無線受信器に関する。
【背景技術】
【０００２】
第３世代のモバイル無線ネットワーク、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）変調法に基づく。Ｗ−ＣＤＭＡにおいて、伝送されるべきすべてのチャネルまたは加入者信号は、利用可能な周波数範囲全体を用い得る。符号分割多重方式は、多重アクセスのために必要とされる種々のチャネルを分離するために用いられる。この場合、各チャネル（より厳密には、チャネルにおける各シンボル）は、その上に、変調されたチャネル専用直交コード系列を有し、このコード系列の支援により、受信器は、伝送されるすべてのチャネルの全体から所望のチャネル（または、このチャネルにおける各個別のシンボル）を分離し有る。比ゆ的には、コード系列は指紋を表し、この指紋が各シンボルに適用されて、他のチャネルにおけるシンボルからこのシンボルを区別することを可能にする。
【０００３】
個々のチャネルは互いに干渉する。なぜなら、用いられる拡散コードの特性が理想的でないからである。さらに、各チャネルは、多重経路伝搬され、これは、１つの伝送された信号に対して２つ以上の受信信号のタイプが異なった電力レベルで、および異なった時間遅延で到着することを意味する。従って、ＣＤＭＡシステムは、利用可能な周波数範囲が最適に用いられるように、とにかく動作し、かつこれを可能にするために、各個別チャネルにおける干渉電力が、受信器において同じ大きさを理想的に有することが特に重要である。そうでない場合、比較的高い干渉電力を有するチャネルが、他のチャネルを隠し、かつそれらのチャネルの検出を不可能にする可能性がある。
【０００４】
ＣＤＭＡシステムの電力制御は、受信器における、すべての検出されたチャネルの有用な電力対干渉電力比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）を測定することに基づく。受信器は、その後、この測定された値を伝送電力制御コマンド（ｔｒａｎｓｍｉｓｓｉｏｎ  ｐｏｗｅｒ  ｃｏｎｔｒｏｌ  ｃｏｍｍａｎｄ）（ＴＣＰ）の形態で、バックチャネルにおける送信器に戻す。送信器は、その後、受信器におけるすべてのチャネルについて標準ＳＩＮＲを達成するために、各チャネルの伝送電力を個別に適合させる。この場合の１つの有利な副次的効果は、この電力制御が、物理モバイル無線チャネルにおける変動を特定の限度内で補償し得（スローフェージング）、従って、伝送容量の増大を可能にすることである。ＣＤＭＡシステムにおける電力制御が、システムの性能全体への重大な影響をともなう重要な役割をすることは明らかである。
【０００５】
電力制御それ自体は、それぞれの標準規格によって規定される。制御される変数は、ＳＩＮＲ、つまり検出されたチャネルにおける有用な電力対干渉電力比である。有用な電力の測定は、比較的単純である。しかしながら、干渉電力を測定することは、それよりもかなり困難であるが、これは、ＳＩＮＲの測定精度に著しい影響を及ぼす。なぜなら、このファクタは、有用な電力対干渉電力比の分母に置かれるからである。
【０００６】
ＵＭＴＳ標準は、受信された信号が逆拡散した後、干渉電力が受信器にアプリオリに知られているパイロットシンボルから決定されることを示す。この場合に生じる困難は、干渉電力を正確に測定するためには不十分なパイロットシンボルが、専用チャネル内に存在することがよくあるということである。例えば、ＵＭＴＳの場合、干渉電力を測定するために、選択されるタイムスロット構造に依存して、各タイムスロットにおいて２つのパイロットシンボルのみが利用可能であり得る。干渉電力の測定は、さらに、チャネル推定（同様に測定エラーを被る）を含むので、わずかな数のパイロットシンボルを評価する際の推定エラーは、ＣＤＭＡシステム全体の性能が著しく低下することから分かる。
【０００７】
干渉電力の決定の精度は、知られているシンボルを出来る限り多く測定に用いることによって改善され得る。さらに、測定エラーを低減するために平均化法が用いられ得る。しかしながら、どちらの措置も制御応答時定数を大きくし、従って、システムが信号伝送の間の電力変動を補償する能力に不利な影響を及ぼし得るという不利な点を有する。
【発明の開示】
【発明が解決しようとする課題】
【０００８】
本発明は、ＣＤＭＡ無線受信器における干渉電力を決定するための高精度な方法を規定するという目的に基づく。本発明のさらなる目的は、逆拡散受信信号の干渉電力を高精度で測定するように設計されるＣＤＭＡ無線受信器を規定することである。
【課題を解決するための手段】
【０００９】
本発明が基づく目的は、独立請求項の特徴によって達成される。
【００１０】
従って、本発明による方法は、干渉電力を判定するために用いられるべき受信信号に、受信器においてアプリオリに知られているシンボルに加えて、受信器においてアプリオリに知られていないシンボルを提供することである。検出されたシンボルは、その後、受信器の下流で判定され、かつ、干渉電力を測定するためにフィードバックされる。検出されたデータシンボルの特定の比が不正確に判定されることが推測されるが、にもかかわらず、干渉電力を計算するために用いられるシンボルの数がかなり増加するので、干渉電力を決定する精度の相当な向上が達成され得る。
【００１１】
本発明による方法のさらなる有利な測定は、干渉電力が、受信器の下流の信号経路において決定されることを特徴とする。任意の所望の受信器が、この目的のために用いられ得る。ＲＡＫＥ受信器に基づく代替的手順は、干渉電力が、ＲＡＫＥ受信器の結合器の上流にある各ＲＡＫＥフィンガーの個々の経路における干渉電力を測定することによって決定され、個々の測定経路干渉電力から干渉電力が決定されることである。第１の手順（受信器の下流における干渉電力の決定）は、インプリメントがあまり複雑でなく、第２の手順（個々の経路に関連する干渉電力の決定）は、いくらか良好な精度を提供する。
【００１２】
干渉電力を決定する精度のさらなる向上は、アプリオリに知られているシンボルの電力、およびアプリオリに知られていないデータシンボルの電力を決定することによって、ならびにこれらの決定された２つの電力を考慮に入れて干渉電力を計算することによって達成され得る。この場合、アプリオリに知られているシンボル（パイロットシンボル）とアプリオリに知られていないデータシンボルとの間の電力の差が、干渉電力を決定する際に考慮に入れられ得る。場合によっては、特に、多重コード手順（ｍｕｌｔｉｐｌｅ  ｃｏｄｅ  ｐｒｏｃｅｄｕｒｅｓ）に関して生じ得る、このような電力の差は受信器において知られていず、従って、測定によって決定されなければならない。
【００１３】
アプリオリに知られているシンボルおよびアプリオリに知られていないシンボルが、単一チャネル、特に、ＵＭＴＳ標準規格に従う専用ＤＰＣＨチャネル用のパイロットシンボルおよびペイロードデータシンボルであるという状態において、本発明による方法のさらなる有利な措置は、これらのシンボルに加えて、１つ以上のさらなるチャネルからのさらなるシンボルが干渉電力を決定するために用いられることを特徴とする。例として、さらなるチャネルは、ダウンリンクパス用の共通のパイロットチャネルであり得る。
【００１４】
本発明のさらなる有利な局面は、従属請求項において規定される。
【００１５】
本発明は、２つの例示的実施形態を用いて、および図面を参照して、以下の文面に記載される。
【００１６】
図１は、ダウンリンクパス上の共通パイロットチャネルおよび多重化された専用チャネルＤＰＣＨ（Ｄｅｄｉｃａｔｅｄ  Ｐｈｙｓｉｃａｌ  Ｃｈａｎｎｅｌ）の模式的図示を示す。水平の広がりは、時間軸に対応する。
【００１７】
専用チャネルＤＰＣＨは、２つの多重化された専用チャネルＤＰＤＣＨ（Ｄｅｄｉｃａｔｅｄ  Ｐｈｙｓｉｃａｌ  Ｄａｔａ  Ｃｈａｎｎｅｌ）およびＤＰＣＣＨ（Ｄｅｄｉｃａｔｅｄ  Ｐｈｙｓｉｃａｌ  Ｃｏｎｔｒｏｌ  Ｃｈａｎｎｅｌ）から形成される。ＤＰＣＣＨチャネルは、パイロットシンボルＰｉｌｏｔおよび制御情報ＴＰＣおよびＴＦＣＩの区間を含む。ＤＰＤＣＨチャネルは、Ｄａｔａ１の区間およびＤａｔａ２の区間に含まれるペイロードデータを含む。タイムスロットｉについて示されるデータ構造は、前にタイムスロットｉ−１および次のタイムスロットｉ＋１の各々において繰返される。
【００１８】
ダウンリンクパスにおいて、ＵＭＴＳは、３つの共通の物理チャネルを用い、これらのうちの１つ（第１のＣＣＰＣＨ（Ｃｏｍｍｏｎ  Ｃｏｎｔｒｏｌ  Ｐｈｙｓｉｃａｌ  Ｃｈａｎｎｅｌ））は、共通パイロットチャネルを含む。この共通パイロットチャネルは、図１に図示され、かつすべての移動局に利用可能である。
【００１９】
パイロットシンボルは、受信器においてアプリオリに知られているという特性を有する。より厳密には、共通パイロットチャネルに伝送されるパイロットシンボルは、伝送する基地局の無線領域において各移動局において知られている一方で、専用チャネルで伝送されるパイロットシンボルは、ＣＤＭＡコーディングにより定められた受信器において知られている。
【００２０】
信号対雑音比ＳＩＮＲ（本明細書中でＳＩＲとも呼ばれることが多い）は、等式
【００２１】
【数１】
2004524740.tif 000003
によって定義される。
【００２２】
ＰＲＳＣＰ（ＲＳＣＰ：Ｒｅｃｅｉｖｅｄ  Ｓｉｇｎａｌ  Ｃｏｄｅ  Ｐｏｗｅｒ）は、この場合、有用な電力を示し、ＰＩＳＣＰ（ＩＳＣＰ：Ｉｎｔｅｒｆｅｒｅｎｃｅ  Ｓｉｇｎａｌ  Ｃｏｄｅ  Ｐｏｗｅｒ）は、チップに関して検出されたチャネルの干渉電力を示す。
【００２３】
本発明の第１の例示的実施形態によると、チップに関して、検出されたチャネルＰＩＳＣＰの干渉電力は、以下の等式
【００２４】
【数２】
2004524740.tif 000004
を用いて決定される。
【００２５】
この場合、Ｎｐｉｌｏｔは、パイロットの区間におけるタイムスロットにおいて利用可能なパイロットシンボルの数ｐＰｉｌｏｔ，ｋを示し、ＮＤａｔａ２は、フィードバックかつ判定されたデータシンボルｐＤａｔａ２，ｋの数を示す。これらは、Ｄａｔａ２の区間に含まれるすべてのデータシンボルか、またはそうでない場合、Ｄａｔａ２の区間に含まれるデータのうちのいくつかのみを含み得る。ｒｋは、受信器の出力にて受信されたシンボルを示し、Ｐａは、チャネル推定によって決定されるチャネルインパルス応答の電力を示す。
【００２６】
変数ｄは、パイロットシンボルの伝送電力とデータシンボルとの間の任意の可能な差を考慮に入れるファクタを示す。これらのような電力の差は、受信器においてアプリオリに知られていないので、本発明は、以下の関係
【００２７】
【数３】
2004524740.tif 000005
を用いて推定される変数ｄを提供する。
【００２８】
この場合、ＰＲＳＣＰ，Ｐｉｌｏｔは、専用チャネルＤＰＣＨにおけるパイロットシンボルの信号電力を示し、ＰＲＳＣＰ，Ｄａｔａ２は、専用チャネルのＤａｔａ２からのデータシンボルの信号電力を示す。
【００２９】
ＰＩＳＣＰの推定の精度は、一方で、チャネル推定の質に依存し、他方、数ＮＤａｔａ２＋ＮＰｉｌｏｔによる影響を受けることに留意されたい。干渉電力を決定するために全体が考慮に入れられる、このシンボルの数が大きいほど、ＰＩＳＣＰを決定するための推定の精度がより良好である。
【００３０】
本発明による方法の第２の例示の実施形態は、特に、ＲＡＫＥ受信器の干渉電力の決定に関連する。上述のように、モバイル無線における無線信号は、多重経路伝搬され得、すなわち、伝搬経路における種々の障害での、伝送された無線信号の反射、散乱および回折が原因で、受信器にて２つ以上の受信信号のタイプが生じ、これらは、互いに時間がずらされ、かつ減衰されて異なった広がりになる。ＲＡＫＥ受信器の動作の原理は、まず、これらの受信された信号の２つ以上のタイプを別々に評価すること、そして、可能な限り高い検出利得を達成するために、これらの信号を正確なタイミングと重ね合わせるという考え方に基づく。ＲＡＫＥという記号は、この場合、このように受信器の構造の比ゆ的記載を提供し、ＲＡＫＥの枝（ｔｉｎｅ）は、ＲＡＫＥのフィンガーを表し、ＲＡＫＥの柄（ｈａｎｄｌｅ）は、出力側に生成される重ね合わされた受信された信号を表す。
【００３１】
ｊ番目のＲＡＫＥフィンガーにおける干渉電力ＰＩＳＣＰ，ｊは、本発明の第２の例示的実施形態により、以下の関係
【００３２】
【数４】
2004524740.tif 000006
を用いて決定される。
【００３３】
この場合、ＮＰｉｌｏｔは、タイムスロットにおいて利用可能なパイロットシンボルＰＰｉｌｏｔ，ｋの数を再び示し、ＮＤａｔａ２は、フィードバックかつ判定されたデータシンボルＮＤａｔａ２，ｋを示す。ｘｋ，ｊは、ＲＡＫＥフィンガーｊ（すなわち、同期化および逆拡散の後、および受信された信号のタイプが結合器にて結合される前）の出力にて受信されたそれぞれのシンボルを示し、ｄは、必要に応じて、等式（３）を用いて再び計算される。ａｊは、チャネル推定によって決定されたように、考察中の受信経路の各々の複合経路の重み付けを示す。この場合、
【００３４】
【数５】
2004524740.tif 000007
である。
【００３５】
個々のＲＡＫＥフィンガーｊの下流の信号経路において測定された経路専用干渉電力ＰＩＳＣＰ，ｊは、その後、考察中のチャネルの干渉電力ＰＩＳＣＰ（全体）を形成することを原則とする基本的結合器により結合される。
【００３６】
【数６】
2004524740.tif 000008
ＮＦｉｎｇｅｒは、ＲＡＫＥ受信器におけるアクティブなフィンガーの数を示す。従って、チャネルに関連する干渉電力ＰＩＳＣＰは、チャネル推定の間、および、次の、すべてのアクティブなＲＡＫＥフィンガー（すなわち経路）の加算の間、複合経路重み付けの大きさの二乗によって経路に関連する干渉電力に重みを付けることによって、経路に関連する干渉電力ＰＩＳＣＰから取得される。
【００３７】
干渉電力の決定のさらなる改善は、ＰＩＳＣＰを計算するために、１つ以上のさらなるチャネルにおける干渉電力測定を考慮に入れることによって達成され得る。これは、ＰＩＳＣＰが、すべてのチャネルにおける受信器に到着する電力ＰＲＳＳＩにのみ依存するが、考察中のチャネルの伝送電力には依存しないという事実に基づく。
【００３８】
ＰＲＳＳＩは、タイムスロット構造および各伝送される物理チャネルにおける電力に大きく依存する。多数の物理チャネルが重なり合う場合、ＰＲＳＳＩのバリアンスは、小さくなり、１つのタイムスロットの間の総信号強度の平均値は、ＰＲＳＳＩの良好な推定を表す。ＰＩＳＣＰとＰＲＳＣＰとの間の任意の関係の欠如は、異なった物理チャネルｎについて推定される干渉電力ＰＩＳＣＰ（ｎ）を組み合わせること
【００３９】
【数７】
2004524740.tif 000009
が可能であることを意味する。
【００４０】
この場合、変数ｗｎは、異なったチャネルにおける推定の質を考慮に入れる重み付きファクタを示し、すなわち、この変数は、例えば、ＰＩＳＣＰ（ｎ）を推定するために、個々のチャネルにおいて用いられるシンボルの数に依存する。
【００４１】
図２は、本発明によるＲＡＫＥ受信器のベースバンド区間のブロック図を示す。
【００４２】
受信されたデータ信号のアナログの同相（Ｉ）信号成分およびアナログの直交（Ｑ）信号成分が、ベースバンド区間の入力にて提供される。
【００４３】
アナログのＩ信号成分およびＱ信号成分は、各々、アナログ低域フィルタａＴＰを通過し、その後、アナログ／デジタル変換器ＡＤＣにてデジタル化される。これらは、通常、チップレートに関してオーバーサンプリングされることによってデジタル化される。デジタル化されたＩデータ信号成分およびＱデータ信号成分は、アナログ／デジタル変換器ＡＤＣの出力にて利用可能である。
【００４４】
アナログ／デジタル変換器ＡＤＣから出力されるＩデジタル信号およびＱデジタル信号は、デジタル低域フィルタｄＴＰに供給される。周波数修正ユニットＡＦＣは、デジタル低域フィルタｄＴＰの下流の信号経路の各々において構成され得、かつ受信されたデジタル信号の自動周波数修正を実行し得る。周波数修正は、例えば、受信回路における局所的発信器（図示せず）の温度依存性周波数を補償することを可能にする。
【００４５】
周波数修正ユニットＡＦＣの下流の信号経路は、信号レートの低減ステージＤＣを含み得、これは、Ｉ経路およびＱ経路における信号レートを低減する。
【００４６】
低減された信号レートのＩデジタル信号およびＱデジタル信号は、ＣＤＭＡ無線受信器におけるＲＡＫＥ受信器区間ＲＡＫＥに供給される。ＲＡＫＥ受信器区間ＲＡＫＥは、図２において破線によって境界が示される。
【００４７】
ＲＡＫＥ受信器区間ＲＡＫＥは、ＮＦｉｎｇｅｒが並行するＲＡＫＥフィンガーＲ１、Ｒ２、・・、ＲＮＦｉｎｇｅｒを有する。図示された実施例における各ＲＡＫＥフィンガーＲ１、Ｒ２、・・、ＲＮＦｉｎｇｅｒは、信号経路にて２重矢印によって示されるように、２つのチャネル（Ｉ経路およびＱ経路）について設計される。
【００４８】
入力側に、各ＲＡＫＥフィンガーＲ１、Ｒ２、・・、ＲＮＦｉｎｇｅｒは、時変補間回路ＴＶＩを有し、出力側に、相関器Ｃを有する。
【００４９】
ＲＡＫＥフィンガーＲ１、Ｒ２、・・、ＲＮＦｉｎｇｅｒの出力は、データ信号全部を形成するＩ／Ｑ出力を組み合わせる最大有利結合ユニット（ｍａｘｉｍｕｍ  ｒａｔｉｏｎａｌ  ｃｏｍｂｉｎｉｎｇ  ｕｎｉｔ）ＭＲＣに供給される。ＲＡＫＥ受信信号全部は、ＭＲＣユニットＭＲＣの出力にて生成され、復調器ＤＭＯＤにおいて復調される。伝送の最後にてインターリーブが実行された場合、復調されたＲＡＫＥ受信信号の全部は、デインターリーバＤＩＬを用いてデインターリーブされる。チャネルの復号が、その後、チャネル復号器ＫＤＣＯＤにて実行される。
【００５０】
ＣＤＭＡ無線受信器は、さらに、ＣＤＭＡ符号メモリＣＤＭＡ−Ｃ−Ｓおよびスクランブリング符号メモリＶＣ−Ｓを有する。ＣＤＭＡ符号メモリＣＤＭＡ−Ｃ−Ｓは、ＣＤＭＡコードの数を格納し得、スクランブリングコードメモリＶＣ−Ｓは、スクランブリングコードの数を格納し得る。各スクランブリングコードは、１つの特定の基地局に対する識別子である。
【００５１】
制御ユニットＳＴは、ＣＤＭＡコードメモリＣＤＭＡ−Ｃ−Ｓから１つの特定のＣＤＭＡコードを、およびスクランブリングコードメモリＶＣ−Ｓから１つの特定のスクランブリングコードを選択し得、かつこれらをＲＡＫＥ受信器区間ＲＡＫＥにロードし得る。２つのコードは、それぞれのＲＡＫＥフィンガーＲ１、Ｒ２、・・、ＲＮＦｉｎｇｅｒにおける信号の逆拡散およびデチャネライゼーション（ｄｅｃｈａｎｎｅｌｉｚａｔｉｏｎ）の相関器Ｃにおいて用いられる。ＲＡＫＥフィンガーＲ１、Ｒ２、・・、ＲＮＦｉｎｇｅｒにおける信号は、最初に、時変補間回路ＴＶＩにより、チップ精度をともなって互いに同期化される。
【００５２】
本発明により干渉電力ＰＩＳＣＰを決定するために、受信器は、ＳＩＮＲ推定器ＳＩＮＲ−ＥＳＴを有する。ＳＩＮＲ推定器ＳＩＮＲ−ＥＳＴには、一方で、複合経路重み付けａｊが供給され、この重み付けは、ＲＡＫＥ受信器の区間ＲＡＫＥの各経路またはフィンガーＲ１、Ｒ２・・、ＲＮＦｉｎｇｅｒの推定器ＫＥによって決定された。他方、ＳＩＮＲ推定器ＳＩＮＲ−ＥＳＴの１つの入力は、閾値決定器ＤＥＣの１出力に接続される。閾値決定器ＤＥＣの入力は、ＭＲＣユニットの出力と接続される。閾値決定器ＤＥＣは、硬判定プロセスを実行して、例えば、受信器によって発信される各データ値からの［±１  ±ｊ］といった値の範囲においてデータシンボルＰＤａｔａ２，ｋを決定する。硬判定がなされた、これらの検出されたデータシンボルは、干渉電力を測定するためにフィードバックされ、すなわち、これらのデータシンボルは、等式（２）または等式（４）に従って、干渉電力ＰＩＳＣＰを計算するために用いられる。干渉電力ＰＩＳＣＰの決定は、この場合、推定されたチャネルに基づく、受信されたシンボル（ｒｋまたはｘｋ，ｊ）と伝送されたシンボル（パイロットシンボルまたは判定されたデータシンボル）との比較に基づく。
【００５３】
信号対雑音比ＳＩＮＲは、その後、ＳＩＮＲ推定器ＳＩＮＲ−ＥＳＴにおいて等式１を用いて計算される。ＳＩＮＲ値は、電力制御コマンドＴＣＰを生成するために用いられ、このコマンドが伝送電力を制御するために用いられる基地局に伝送される。
【００５４】
本発明による方法は一般的に、すなわち、ダウンリンクパスおよびアップリンク経路の両方に用いられ得ることに言及されるべきである。
【図面の簡単な説明】
【００５５】
【図１】図１は、ダウンリンクパスのＵＭＴＳチャネル構造の模式図を示す。
【図２】本発明によるＣＤＭＡ無線受信器のベースバンドの区間のブロック図を示す。
【図１】
2004524740.tif 000010
【国際公開パンフレット】
2004524740.tif 000011
2004524740.tif 000012
2004524740.tif 000013
2004524740.tif 000014
2004524740.tif 000015
2004524740.tif 000016
2004524740.tif 000017
2004524740.tif 000018
2004524740.tif 000019
2004524740.tif 000020
2004524740.tif 000021
2004524740.tif 000022
2004524740.tif 000023
2004524740.tif 000024
2004524740.tif 000025
2004524740.tif 000026
2004524740.tif 000027
2004524740.tif 000028
2004524740.tif 000029
【国際調査報告】
2004524740.tif 000030
2004524740.tif 000031
2004524740.tif 000032
2004524740.tif 000033